(57)【要約】【課題】水平方向だけでなく、鉛直方向の観賞角度にも対応でき、さまざまな形状に仕立を施すことが可能で、転倒のおそれがない植物保持具およびそれを使用した植物仕立方法を提供する。【解決手段】ワイヤで組まれた植物保持具１１は、保持手段１２および固定手段１３からなる。略円柱状の形状を有する保持手段１２は、上下方向に伸びる複数の長手ワイヤ１２ａ、それを支持する複数の円環ワイヤ１２ｂおよび複数の保持針１２ｃからなる。長手ワイヤ１２ａは、その周囲に複数の洋蘭を積み重ねて保持することが可能である。また、長手ワイヤ１２ａの下端部は、第二固定部１３ｂとなっており、植物保持具１１が花器１４に固定された状態で、花器１４の底面開口部１４ａから若干張り出すように形成される。植物は、長手ワイヤ１２ａの周囲に積み重ねられ、保持針１２ｃを用いて保持・固定される。【選択図】      図１
2004321235.tif 000002
【特許請求の範囲】
【請求項１】
複数の植物の茎が外側に突出するように、前記各植物の株を保持する保持手段を有することを特徴とする植物保持具。
【請求項２】
花器に固定される固定手段を有することを特徴とする請求項１に記載の植物保持具。
【請求項３】
請求項１に記載の植物保持具を使用した植物仕立方法であって、
前記保持手段により複数の植物を保持する保持ステップと、
保持された前記複数の植物の花が外側を向いて並ぶように仕立を施す仕立ステップと、
を含むことを特徴とする植物仕立方法。
【請求項４】
請求項２に記載の植物保持具を使用した植物仕立方法であって、
前記固定手段により前記植物保持具を花器に固定する固定ステップと、
前記保持手段により複数の植物を保持する保持ステップと、
保持された前記複数の植物の花が外側を向いて並ぶように仕立を施す仕立ステップと、
を含むことを特徴とする植物仕立方法。
【請求項５】
前記保持ステップの前ステップとして、前記花器に充填手段を充填する充填ステップを含むことを特徴とする請求項４に記載の植物仕立方法。
【請求項６】
前記植物は洋蘭であることを特徴とする請求項３から請求項５のいずれか一項に記載の植物仕立方法。
【発明の詳細な説明】
【０００１】
【発明の属する技術分野】
本発明は、植物保持具およびそれを使用した植物仕立方法に関する。
【０００２】
【従来の技術】
観賞用の植物（およびその花）にはさまざまな種類があり、ＴＰＯに合わせて用いられている。観賞用の植物として代表的なものに、洋蘭（蘭科植物のうち、熱帯産で色の鮮明なカトレア、シンビジウム、胡蝶蘭等）がある。洋蘭は、その仕立により、花がある特定の方向に向けられるので、観賞に適する角度（以下、観賞角度と記載する）が狭く、例えばホテルのロビー中央等、あらゆる角度から観賞される場所での使用に不向きであった。
【０００３】
そこで、特許文献１に開示された「植木鉢・花器等の保持柱（以下、単に保持柱と記載する。）」がある。図１０に示すように、保持柱は、基板５１、柱状体５２および吊掛具５３から構成される。吊掛具５３は、柱状体５２の任意の位置にある、鎖や紐で吊下げた植木鉢等を吊掛けることのできる複数の突起構造物である。重心のバランスを考え、複数の吊掛具５３は柱状体５２の周りに偏ることのない方向に設けられる。洋蘭が植えられた植木鉢５４は、洋蘭の花が柱状体５２の外側を向くようにして吊掛具５３に吊掛けられる。観賞者は、保持柱の周囲から水平方向に洋蘭を観賞できる。
【０００４】
【特許文献１】
登録実用新案第３０４０２３９号公報（［０００７］〜［００１２］、第３図）
【０００５】
【発明が解決しようとする課題】
しかし、特許文献１に記載の保持柱には、以下に示す問題点があった。
（１）  主に水平方向の観賞角度に対応したものであり、鉛直方向の観賞角度への対応はなされていない。また、水平方向においても、洋蘭間に隙間があり、観賞に適さない角度が生じる。
（２）  洋蘭の配置は吊掛具５３の位置によって決定されるので、配置後の仕立のレイアウトが制限される。
（３）  植木鉢５４を吊掛具５３に吊掛けているので、重心バランスが不安定であり、吊掛け作業中や吊掛け後に転倒するおそれがある。
【０００６】
そこで、本発明は、水平方向だけでなく、鉛直方向の観賞角度にも対応でき、さまざまな形状に仕立を施すことが可能で、転倒のおそれがない植物保持具およびそれを使用した植物仕立方法を提供することを課題とする。
【０００７】
【課題を解決するための手段】
上述した課題を解決するため、請求項１に記載の植物保持具は、複数の植物をその茎が外側に突出するように、前記各植物の株を保持する保持手段を有する構成とした。
【０００８】
保持手段としては、ワイヤで組まれた略円柱形（図１参照）、略半球形（図６参照）のものや、側面に植物の株を嵌め込むための複数の穴部が形成された略半球形（図８参照）のもの等が好適に使用できる。
【０００９】
また、請求項２に記載の植物保持具は、請求項１に記載の植物保持具であって、花器に固定される固定手段を有する構成とした。
【００１０】
このような構成にすることにより、植物保持具は花器に固定されるので、転倒のおそれがない。また、植物に水遣りがしやすくなり、長持ちするので、長期観賞が可能となる。花器としては、テラコッタ等の植木鉢や大型の花瓶が好適に使用できる。
【００１１】
また、請求項３に記載の植物仕立方法は、請求項１に記載の植物保持具を使用した植物仕立方法であって、前記保持手段により複数の植物を保持する保持ステップと、保持された前記複数の植物の花が外側を向いて並ぶように仕立を施す仕立ステップと、を含む構成とした。
【００１２】
このような構成にすることにより、保持手段の形状と、仕立の形状とによって、複数の植物の花（の集合体）を並べ、さまざまな形状にすることができる。例えば、略球形・略円筒形・ハート形・動物形とすることが可能である。
【００１３】
植物としては、洋蘭（カトレア、シンビジウム、胡蝶蘭等）等、茎に複数の花が並んで咲くものが好適に使用できる。
【００１４】
また、請求項４に記載の植物仕立方法は、請求項２に記載の植物保持具を使用した植物仕立方法であって、前記固定手段により前記植物保持具を花器に固定する固定ステップと、前記保持手段により複数の植物を保持する保持ステップと、保持された前記複数の植物の花が外側を向いて並ぶように仕立を施す仕立ステップと、を含む構成とした。
【００１５】
このような構成にすることにより、保持手段はその下方にある花器に固定される。したがって、保持手段により保持された植物への水遣りがしやすくなり、植物の長期保存が可能となる。また、美観が向上する。
【００１６】
また、請求項５に記載の植物仕立方法は、請求項４に記載の植物仕立方法であって、前記保持ステップの前ステップとして、前記花器に充填手段を充填する充填ステップを含む構成とした。
【００１７】
ここでいう充填手段とは、発泡スチロール製のスペーサーや土のことを指す。充填手段を花器内に充填することにより、植物を充填手段の上に載せることが可能となり、充填手段が保持手段の補助の役目をすることができる。また、充填手段の隙間に植物の根が生長するので、より長期にわたる保存が可能となる。
【００１８】
また、請求項６に記載の植物仕立方法は、請求項３から請求項５のいずれか一項に記載の植物仕立方法であって、前記植物は洋蘭である構成とした。
【００１９】
このような構成にすることにより、複数の洋蘭を使用し、さまざまな形状の仕立を施すことが可能となる。したがって、水平方向および鉛直方向に広い観賞角度を有するように仕立を施した洋蘭を提供することができる。
【００２０】
【発明の実施の形態】
次に、本発明の実施の形態について適宜図面を参照しながら説明する。同様の部分については同一符号を付し、重複する説明は省略する。なお、上下等、位置や方向に関する表現は、植物保持具を使用する状態を基準とする。本実施形態において、二本立て（一つの株から二本の茎が伸びたもの）の洋蘭を用い、花器としてテラコッタの円形鉢を使用した例に沿って説明する。
【００２１】
（第一の実施形態）
図１は、本発明の実施形態に係る植物保持具を示す斜視図である。ワイヤで組まれた植物保持具１１は、保持手段１２および固定手段１３からなる。
【００２２】
略円柱状の形状を有する保持手段１２は、上下方向に伸びる複数の長手ワイヤ１２ａ、それを支持する複数の円環ワイヤ１２ｂおよび複数の保持針１２ｃからなる。長手ワイヤ１２ａの両端部は内側に曲げられ、他の長手ワイヤと接続し閉じられている。長手ワイヤ１２ａは、その周囲に複数の洋蘭を積み重ねて保持することが可能である。また、長手ワイヤ１２ａの下端部は、第二固定部１３ｂとなっており、植物保持具１１が花器１４に固定された状態で、花器１４の底面開口部１４ａから若干張り出すように形成される。洋蘭は、長手ワイヤ１２ａの周囲に積み重ねられ、保持針１２ｃを用いて保持・固定される。
【００２３】
固定手段１３は、保持手段１２（の長手ワイヤ１２ａおよび円環ワイヤ１２ｂ）を花器１４に固定するための部位であり、第一固定部１３ａ、第二固定部１３ｂおよび第三固定部１３ｃからなる。第一固定部１３ａは、長手ワイヤ１２ａの外側に支持され、円形に形成されている。また、花器１４の中間部分の内径を有し、上から嵌め込むことにより保持手段１２を花器１４に固定する。第三固定部１３ｃは、十字に組まれたワイヤであり、花器１４の底面開口部１４ａから張り出した第二固定部１３ｂと嵌合し、嵌合部分をテープ等で固定することにより、保持手段１２が花器１４の上方に外れるのを防ぐ。
【００２４】
花器１４は、テラコッタの円形鉢であり、下方にいくにしたがい径が小さくなる。また、排水可能な底面開口部１４ａを有する。
【００２５】
花器載置台１５は、花器１４を載置するための台である。
【００２６】
続いて、第一の実施形態に係る植物保持具１１を使用した植物仕立方法について説明する。植物仕立方法は、固定ステップＳ１１、充填ステップＳ１２、保持ステップＳ１３および仕立ステップＳ１４からなる。
【００２７】
（Ｓ１１）  固定ステップ
図２に示すように、植物保持具１１を花器１４に固定する。固定は固定手段１３による。
【００２８】
（Ｓ１２）  充填ステップ
固定ステップ終了後、図３（ａ）に示すように、花器１４に充填手段１６（図３（ｂ）参照）を充填する。充填手段１６としては、例えば、発泡スチロール製のスペーサーや土が好適に使用される。なお、充填手段１６を充填する理由を以下に示す。
（１）  洋蘭１７が花器１４の内部に落ち込むことを防止する。すなわち、下段の洋蘭１７は充填手段１６の上に載置・保持される。
（２）  洋蘭１７の根が生長するときに、充填手段１６の中（隙間）に生長することができる。
（３）  花器１４内を水苔で埋めようとするとコストがかかる。
また、重量面から考えると、土よりも発泡スチロール製のスペーサーを使用することが好ましいので、本実施形態では発泡スチロール製のスペーサーを充填手段１６として使用する。充填手段１６は、下段の洋蘭１７を保持可能な高さまで充填される。
【００２９】
（Ｓ１３）  保持ステップ
図４（ａ）に示すように、洋蘭１７の株１７ａ（根および水苔からなる）を、その茎１７ｂが外側に突出するように向け、長手ワイヤ１２ａの周囲に積み重ねる。この際、Ｕ字状の保持針１２ｃ（図４（ｂ）参照）を、株１７ａと充填手段１６、株１７ａと保持手段１２、あるいは隣り合う株１７ａ同士を固定するように突き刺す。本実施形態では、一段目（下段）に八株、二段目（中段）に八株、三段目（上段）に四株、の計二十株を積み重ねて保持する。
【００３０】
（Ｓ１４）  仕立ステップ
保持ステップ終了後、支柱１８を用いて洋蘭に仕立を施す。仕立は、任意の一本の茎１７ｂ（例えば、上方の茎）について位置決めを行い、その後、それ以外の茎１７ｂについて、交差しないよう仕立を施し、図５（ａ）に示すように、略球状に形成する（図５（ａ）では、左側正面部分の仕立を示している。）。この際、花器１４の中央やや上方に球の中心があると仮定し、複数の花１７ｃ，１７ｃ，…がその球面上に外向きに並ぶように仕立を施す。
【００３１】
仕立に用いられる支柱１８は、図５（ｂ）に示すように、長支柱１８ａおよび短支柱１８ｂからなる。長支柱１８ａは花１７ｃの反対側から茎１７ｂ全体を支持する。その株側端部は折り曲げられており、株１７ａに突き刺したときに軸回転を防ぐ構造となっている。短支柱１８ｂは、株１７ａ深くまで突き刺さり、テープ等を巻きつけることにより長支柱１８ａと固定され、長支柱１８ａが株１７ａから抜けるのを防ぐ。また、支柱１８は目立たないよう、茎１７ｂと同系色であることが望ましい。長支柱１８ａおよび茎１７ｂはテープ等を巻きつけることにより固定され、長支柱１８ａを曲げることにより茎１７ｂに仕立を施し、花１７ｃが外側を向いて並ぶようにする。
【００３２】
ここでは、保持ステップを一括して行った後に、仕立ステップを一括して行うようにしたが、洋蘭一株ごとに保持ステップおよび仕立ステップを順次繰り返す構成でもよい。
【００３３】
従来の洋蘭は、上向きに伸びる茎を、支柱を水平視逆Ｕ字型に曲げて支持することにより、花が垂れ下がるように仕立を施していたが、本実施形態においては、これにとらわれず、横向きに仕立を施すことも可能である。
【００３４】
上述したように、複数の洋蘭１７を使用し、複数の花１７ｃ，１７ｃ，…が略球面状に並ぶよう仕立を施すことが可能となる。このように仕立を施した洋蘭１７は、花１７ｃの配置密度が大きく（花１７ｃ，１７ｃ，…間の隙間が少なく）、水平方向および鉛直方向に広い観賞角度を有するので、ホテルのロビーや、部屋の中央に飾り、観賞するのに好適である。また、略球状に仕立を施した洋蘭１７は従来にない美観を有し、冠婚葬祭の式場等で好適に使用される。また、切花でなく、株付きの状態で仕立を施しているので、水遣りを行うことができ、長期保存が可能である。
【００３５】
（第二の実施形態）
図６は、第二の実施形態に係る植物保持具を示す斜視図である。植物保持具２１はワイヤで略半球状に組まれた保持手段２２および固定手段２３を有する。
保持手段２２は半球状ワイヤ２２ａ、それを内部から支持する支持ワイヤ２２ｂおよび保持針２２ｃからなる。洋蘭は半球状ワイヤ２２ａの内側に、その茎が外側を向くように積み重ねられ、保持される。
固定手段２３は、第一固定部２３ａ、第二固定部２３ｂおよび第三固定部２３ｃから構成される。第一固定部２３ａ・第二固定部２３ｂ・第三固定部２３ｃは、それぞれ１３ａ・１３ｂ・１３ｃに相当する機能を有する。
【００３６】
続いて、第二の実施形態に係る植物保持具２１を使用した植物仕立方法について説明する。植物仕立方法は、固定ステップＳ２１、充填ステップＳ２２、保持ステップＳ２３および仕立ステップＳ２４からなる。
【００３７】
第一の実施形態との相違点として、保持ステップＳ２３における洋蘭の保持がある。本実施形態では、図７の右半分に示すように、洋蘭の株を半球状ワイヤ２２ａの内側に、茎１７ｂが外側に突出するように置き、保持針２２ｃを用いて保持される。その他のステップにおける動作は、第一の実施形態と略同様であり、図７の左半分に示すように仕立を施す。
【００３８】
（第三の実施形態）
図８は、第三の実施形態に係る植物保持具を示す斜視図である。植物保持具３１は発泡スチロール製・略半球形の保持手段３２および固定手段３３を有する。
保持手段３２は、その表面に複数の穴部３２ａを有する。また、保持手段３２の底面が第一固定部３３ａとなる。
固定手段３３は、第一固定部３３ａ、第二固定部３３ｂおよび第三固定部３３ｃから構成され、それぞれ１３ａ・１３ｂ・１３ｃに相当する機能を有する。
【００３９】
続いて、第三の実施形態に係る植物保持具３１を使用した植物仕立方法について説明する。植物仕立方法は、固定ステップＳ３１、保持ステップＳ３２および仕立ステップＳ３３からなる。
【００４０】
第一の実施形態との相違点として、保持ステップＳ３２における洋蘭の保持がある。本実施形態では、図９の右半分に示すように、洋蘭の株を穴部３２ａに嵌めこむことにより保持する。その後、図９の左半分に示すように仕立を施す。また、本実施形態では充填手段によらずに洋蘭１７を保持可能であり、充填ステップを省略可能である。
【００４１】
上述した各実施形態では、洋蘭１７の株１７ｂは花器１４の上に保持されるので、転倒のおそれがない。
【００４２】
なお上述した各実施形態は、洋蘭の栽培場で行い、仕立を施した状態で出荷されるのが望ましい。それは、ある程度大きさの揃った洋蘭を複数株用意する必要があるからである。
【００４３】
上述した各実施形態は、本発明の要旨を逸脱しない範囲で適宜変更可能である。例えば、各保持手段・固定手段の形状は各実施形態で示したものに限定されない。また、花器１４は、大型の花瓶であってもよい（それにあわせて固定手段１３の形状等を変化させればよい。）。また、植物保持具が固定手段を有さず、直接床面等に設置可能な形状である場合や、吊下げ可能な形状である場合には、固定ステップおよび充填ステップは省略可能である。また、洋蘭以外の植物やそれらの組み合わせ等を使用することができる。また、各ステップの順番も入れ替え可能である。また、保持手段の形状と、仕立ステップにおける仕立の形状を変えることにより、略球形以外の形状（略円筒形・ハート形・動物形等）にすることも可能である。
【００４４】
【発明の効果】
本発明によれば、水平方向および鉛直方向に大きい観賞角度を有し、さまざまな形状に仕立を施すことが可能で、転倒のおそれがない植物保持具およびそれを使用した植物仕立方法を提供することができる。
【図面の簡単な説明】
【図１】本発明の第一の実施形態に係る植物保持具を示す斜視図である。
【図２】本発明の第一の実施形態に係る植物仕立方法の固定ステップを示す斜視図である。
【図３】（ａ）は本発明の第一の実施形態に係る植物仕立方法の充填ステップを示す斜視図であり、（ｂ）は充填手段を示す斜視図である。
【図４】（ａ）は本発明の第一の実施形態に係る植物仕立方法の保持ステップを示す斜視図であり、（ｂ）は保持針を示す斜視図である。
【図５】（ａ）は本発明の第一の実施形態に係る植物仕立方法の仕立ステップを示す斜視図であり、（ｂ）は支柱を示す斜視図である。
【図６】本発明の第二の実施形態に係る植物保持具を示す斜視図である。
【図７】本発明の第二の実施形態に係る植物仕立方法を示す図である。
【図８】本発明の第三の実施形態に係る植物保持具を示す斜視図である。
【図９】本発明の第三の実施形態に係る植物仕立方法を示す図である。
【図１０】特許文献１に記載の保持柱を示す斜視図である。
【符号の説明】
１１、２１、３１    植物保持具
１２、２２、３２    保持手段
１３、２３、３３    固定手段
１４    花器
１４ａ  底面開口部
１５    花器載置台
１６    充填手段
１７    洋蘭（植物）
１８    支柱
【図１】
2004321235.tif 000003
【図２】
2004321235.tif 000004
【図３】
2004321235.tif 000005
【図４】
2004321235.tif 000006
【図５】
2004321235.tif 000007
【図６】
2004321235.tif 000008
【図７】
2004321235.tif 000009
【図８】
2004321235.tif 000010
【図９】
2004321235.tif 000011
【図１０】
2004321235.tif 000012